(57)【要約】      （修正有）【課題】複数の後席表示部を備える場合に、一の後席表示部に対するユーザの入力操作について、他の後席表示部への影響を簡単に確認可能な表示管理装置等を提供する。【解決手段】表示管理装置は、コンテンツを表示する複数のディスプレイ３０Ｌ、３０Ｒを管理するディスプレイ管理ユニットであって、後席ディスプレイ３０Ｌにより表示されるコンテンツに関するコンテンツ操作に伴う後席ディスプレイ３０Ｒのコンテンツの表示への影響度に基づいてコンテンツ操作を分類する操作分類部と、この分類結果に基づいて、コンテンツ操作を行うためのリモコンユニット５０Ｌへ、各コンテンツ操作が割り当てられた各操作釦を着色するための着色情報を送信する通信部とを備える。【選択図】図１
2012191514.tif 000002
【特許請求の範囲】
【請求項１】
コンテンツを表示する複数の後席表示部を管理する表示管理装置であって、
第１の後席表示部により表示されるコンテンツに関する操作であるコンテンツ操作に伴う第２の後席表示部によるコンテンツの表示への影響度に基づいて、前記コンテンツ操作を分類する操作分類部と、
前記操作分類部による分類結果に基づいて、前記コンテンツ操作を行うための操作装置へ、各コンテンツ操作が割り当てられた前記操作装置の操作部を着色するための着色情報を送信する着色情報送信部と、
を備える表示管理装置。
【請求項２】
請求項１に記載の表示管理装置であって、
前記操作分類部は、第１のコンテンツ操作に伴い、前記第２の後席表示部に表示されるコンテンツ及び当該コンテンツの再生状態が不変である場合、前記第１のコンテンツ操作を第１のグループに分類し、
前記着色情報送信部は、前記第１のコンテンツ操作が割り当てられた前記操作装置の操作部を第１の色で着色するための第１の着色情報を送信する表示管理装置。
【請求項３】
請求項１に記載の表示管理装置であって、
前記操作分類部は、第２のコンテンツ操作に伴い、前記第２の後席表示部に表示されるコンテンツが変化する場合、前記第２のコンテンツ操作を第２のグループに分類し、
前記着色情報送信部は、前記第２のコンテンツ操作が割り当てられた前記操作装置の操作部を第２の色で着色するための第２の着色情報を送信する表示管理装置。
【請求項４】
請求項１に記載の表示管理装置であって、
前記操作分類部は、第３のコンテンツ操作に伴い、前記第２の後席表示部に表示されるコンテンツが不変であり当該コンテンツの再生状態が変化する場合、前記第３のコンテンツ操作を第３のグループに分類し、
前記着色情報送信部は、前記第３のコンテンツ操作が割り当てられた前記操作装置の操作部を第３の色で着色するための第３の着色情報を送信する表示管理装置。
【請求項５】
請求項１に記載の表示管理装置であって、
前記操作分類部は、第４のコンテンツ操作が無効である場合、前記第４のコンテンツ操作を第４のグループに分類し、
前記着色情報送信部は、前記第４のコンテンツ操作が割り当てられた前記操作装置の操作部を第４の色で着色するための第４の着色情報を送信する表示管理装置。
【請求項６】
請求項１ないし５のいずれか１項に記載の表示管理装置であって、
前記第１の後席表示部又は前記第２の構成表示部により表示されるコンテンツが変更されたときに、
前記操作分類部は、前記コンテンツ操作を分類し、
前記着色情報送信部は、前記着色情報を送信する表示管理装置。
【請求項７】
請求項１ないし６のいずれか１項に記載の表示管理装置であって、更に、
複数のコンテンツを管理するコンテンツ管理装置から専用線を介してコンテンツを入力する第１コンテンツ入力部と、
外部装置からコンテンツを入力する第２コンテンツ入力部と、
を備える表示管理装置。
【請求項８】
コンテンツを表示する複数の後席表示部を管理するための表示管理方法であって、
第１の後席表示部により表示されるコンテンツに関する操作であるコンテンツ操作に伴う第２の後席表示部によるコンテンツの表示への影響度に基づいて、前記コンテンツ操作を分類するステップと、
前記分類の結果に基づいて、前記コンテンツ操作を行うための操作装置へ、各コンテンツ操作が割り当てられた前記操作装置の操作部を着色するための着色情報を送信するステップと、
を有する表示管理方法。
【発明の詳細な説明】
【技術分野】
【０００１】
本発明は、コンテンツを表示する複数の後席表示部を管理する表示管理装置および表示管理方法に関し、特にユーザの入力操作に役立つ情報を表示するための技術に関する。
【背景技術】
【０００２】
車両上には、例えば受信したテレビ放送番組のコンテンツ、ＤＶＤ等のディスク状記録メディアに保持されているコンテンツ、メモリカードなどの記録メディアに保持されているコンテンツなどを必要に応じて再生し、ユーザが視聴できるように映像や音響として出力する装置が搭載されている場合が多い。また、近年は車両の前席周辺だけでなく、後部座席周辺にもディスプレイを搭載する車両が普及しており、車両前席の乗員に加え、後席の乗員も、車載機器から出力される画像を楽しむことができる。
【０００３】
車両に搭載される車載用画像表示システムの一例として、ＴＶチューナ等から出力される画像データを表示する、車両の前席周辺に設けられた前席ディスプレイと、前席ディスプレイに接続され、当該ディスプレイに表示された画像データを取得して表示する、車両の後席周辺に設けられた後席ディスプレイとからなるシステムがある。このシステムでは、ユーザがＴＶチューナ等を操作し、前席ディスプレイに画像表示させると、その画像データが前席ディスプレイを介して後席ディスプレイにも出力される。こうして、前席の乗員だけでなく、後席の乗員も、ＴＶチューナ等から出力される画像を楽しめるのである。
【０００４】
このような車載用画像表示システムとして、簡単な構成によって、前席ディスプレイと後席ディスプレイとに異なる画面を表示することができるシステムが知られている（例えば、特許文献１参照）。この車載用画像表示システムは、カーナビゲーション装置と後席表示装置とが、それぞれ描画ＩＣを備えており、それぞれ異なる映像を表示することができる。
【先行技術文献】
【特許文献】
【０００５】
【特許文献１】特開２００５−１９９９９８号公報
【発明の概要】
【発明が解決しようとする課題】
【０００６】
上記の後席ディスプレイについては、後席に着座したユーザが視聴しやすいように、前席シートバック背面の箇所に画面を後方に向けて設置する場合がある。この場合、２つの前席シートバックのそれぞれに後席ディスプレイを設置することが可能であり、２つ以上の独立した後席ディスプレイを装備することができる。
【０００７】
しかしながら、特許文献１に示された車載用画像システムでは、前席側と後席側とを接続する通信線が１系統だけしか存在しないので、後席ディスプレイが複数存在する場合であっても、これらに別々の表示を行うことはできず、各後席ディスプレイは同一の映像の表示を行うことになる。
【０００８】
従って、例えばＴＶ視聴からＤＶＤ視聴に切り替える、ＴＶのチャネルを変更する、などの入力操作を後席に着座している一人のユーザが後席の表示装置に対して行った場合には、１つの後席ディスプレイに対する操作を行ったつもりであっても、他の後席ディスプレイの表示も切り替わってしまう。この場合、他の後席ディスプレイの映像を視聴している別のユーザは、不便さを感じてしまうことがあった。
【０００９】
本発明は、上記事情に鑑みてなされた発明であって、複数の後席表示部を備える場合に、一の後席表示部に対する入力操作について、他の後席表示部への影響を簡単に確認することができる表示管理装置および表示管理方法を提供することを目的とする。
【課題を解決するための手段】
【００１０】
本発明の表示管理装置は、コンテンツを表示する複数の後席表示部を管理する表示管理装置であって、第１の後席表示部により表示されるコンテンツに関する操作であるコンテンツ操作に伴う第２の後席表示部によるコンテンツの表示への影響度に基づいて、前記コンテンツ操作を分類する操作分類部と、前記操作分類部による分類結果に基づいて、前記コンテンツ操作を行うための操作装置へ、各コンテンツ操作が割り当てられた前記操作装置の操作部を着色するための着色情報を送信する着色情報送信部と、を備える。
【００１１】
この表示管理装置によれば、操作装置の操作部の着色状態を、コンテンツの表示への影響度に応じて変更することができる。従って、操作装置を操作しようとするユーザは、操作する前に、その箇所の着色状態からコンテンツの表示への影響度を把握することができる。
【００１２】
また、本発明の表示管理装置は、前記操作分類部が、第１のコンテンツ操作に伴い、前記第２の後席表示部に表示されるコンテンツ及び当該コンテンツの再生状態が不変である場合、前記第１のコンテンツ操作を第１のグループに分類し、前記着色情報送信部が、前記第１のコンテンツ操作が割り当てられた前記操作装置の操作部を第１の色で着色するための第１の着色情報を送信する。
【００１３】
この表示管理装置によれば、ユーザは入力操作に対して表示されるコンテンツ及びその再生状態が不変であることを、操作の前に第１の色の着色により把握できる。
【００１４】
また、本発明の表示管理装置は、前記操作分類部が、第２のコンテンツ操作に伴い、前記第２の後席表示部に表示されるコンテンツが変化する場合、前記第２のコンテンツ操作を第２のグループに分類し、前記着色情報送信部が、前記第２のコンテンツ操作が割り当てられた前記操作装置の操作部を第２の色で着色するための第２の着色情報を送信する。
【００１５】
この表示管理装置によれば、ユーザは入力操作に対して表示されるコンテンツが変化することを、操作の前に第２の色の着色により把握できる。
【００１６】
また、本発明の表示管理装置は、前記操作分類部が、第３のコンテンツ操作に伴い、前記第２の後席表示部に表示されるコンテンツが不変であり当該コンテンツの再生状態が変化する場合、前記第３のコンテンツ操作を第３のグループに分類し、前記着色情報送信部が、前記第３のコンテンツ操作が割り当てられた前記操作装置の操作部を第３の色で着色するための第３の着色情報を送信する。
【００１７】
この表示管理装置によれば、ユーザは入力操作に対して表示されるコンテンツが不変でるがその再生状態に変化が現れることを、操作の前に第３の色の着色により把握できる。
【００１８】
また、本発明の表示管理装置は、前記操作分類部が、第４のコンテンツ操作が無効である場合、前記第４のコンテンツ操作を第４のグループに分類し、前記着色情報送信部が、前記第４のコンテンツ操作が割り当てられた前記操作装置の操作部を第４の色で着色するための第４の着色情報を送信する。
【００１９】
この表示管理装置によれば、ユーザは入力操作に対してこの操作が無効であることを、操作の前に第４の色の着色により把握できる。
【００２０】
また、本発明の表示管理装置は、前記第１の後席表示部又は前記第２の構成表示部により表示されるコンテンツが変更されたときに、前記操作分類部が、前記コンテンツ操作を分類し、前記着色情報送信部が、前記着色情報を送信する。
【００２１】
この表示管理装置によれば、後席表示部のいずれかにより表示されたコンテンツが変更された場合には、各操作部によるコンテンツ操作による影響が変化することがあるが、この変化を加味して操作部を着色させることができる。
【００２２】
また、本発明の表示管理装置は、複数のコンテンツを管理するコンテンツ管理装置から専用線を介してコンテンツを入力する第１コンテンツ入力部と、外部装置からコンテンツを入力する第２コンテンツ入力部と、を備える。
【００２３】
この表示管理装置によれば、後席表示部により、第１コンテンツ入力部からの第１コンテンツと、第２コンテンツ入力部からの第２コンテンツとを選択的に表示できるようになる。
【００２４】
また、本発明の表示管理方法は、コンテンツを表示する複数の後席表示部を管理するための表示管理方法であって、第１の後席表示部により表示されるコンテンツに関する操作であるコンテンツ操作に伴う第２の後席表示部によるコンテンツの表示への影響度に基づいて、前記コンテンツ操作を分類するステップと、前記分類の結果に基づいて、前記コンテンツ操作を行うための操作装置へ、各コンテンツ操作が割り当てられた前記操作装置の操作部を着色するための着色情報を送信するステップと、を有する。
【００２５】
この表示管理方法によれば、操作装置の操作部の着色状態を、コンテンツの表示への影響度に応じて変更することができる。従って、操作装置を操作しようとするユーザは、操作する前に、その箇所の着色状態からコンテンツの表示への影響度を把握することができる。
【発明の効果】
【００２６】
本発明によれば、複数の後席表示部を備える場合に、一の後席表示部に対する入力操作について、他の後席表示部への影響を簡単に確認することができる。
【図面の簡単な説明】
【００２７】
【図１】本発明の実施形態における車両に搭載されたシステム全体の構成例および配置例を示すブロック図
【図２】本発明の実施形態におけるディスプレイ管理ユニットおよびリモコンユニットの構成例を示すブロック図
【図３】本発明の実施形態におけるディスプレイ管理ユニットのメモリが備えるテーブルの情報の一例を示す図
【図４】本発明の実施形態におけるシステムがリモコンユニットの各操作釦の色を制御するときの動作例を示すフローチャート
【図５】本発明の実施形態における各ディスプレイの表示モードと各操作釦の色との関係を表す図
【図６】本発明の実施形態における表示モードの切り替え前の初期状態の一例を示す図
【図７】本発明の実施形態における表示モードの切り替えに伴う各操作釦の着色例（青色に着色する場合）を説明するための図
【図８】本発明の実施形態における表示モードの切り替えに伴う各操作釦の着色例（赤色に着色する場合）を説明するための図
【図９】本発明の実施形態における表示モードの切り替えに伴う各操作釦の着色例（黄色に着色する場合）を説明するための図
【発明を実施するための形態】
【００２８】
本発明の実施形態について、各図を参照しながら以下に説明する。
【００２９】
本実施形態においては、図１に示すようなシステムに本発明を適用する場合を想定している。図１に示すシステムは、様々な種類のコンテンツの視聴を可能にするための装置であり、車両の車室内に配置されている。
【００３０】
図１に示すように、車室内の前の方、すなわち計器パネルの近傍に前席ナビシステム１０が配置されている。この前席ナビシステム１０は、ディスク（ＤＩＳＣ）プレーヤ１１、テレビ（ＴＶ）チューナ１２、圧縮オーディオプレーヤ１３、およびコンテンツ管理ユニット１４を備えている。
【００３１】
ディスクプレーヤ１１は、ＣＤ、ＤＶＤ、ＢＤ（ブルーレイディスク）などのディスク状メディアに記録されている映像や音響の情報を含むコンテンツを再生するための装置である。テレビチューナ１２は、テレビ放送の電波を受信して、受信した放送番組の映像や音響を含むコンテンツを再生するための装置である。圧縮オーディオプレーヤ１３は、メモリカードなどの所定の記録媒体に保持されている音楽等のデータ圧縮されたコンテンツや、所定のネットワークからダウンロードした音楽等のコンテンツなどを再生するための装置である。
【００３２】
コンテンツ管理ユニット１４は、マイクロコンピュータを主体とする制御回路を備えており、予め用意されているプログラムを実行することにより、前席ナビシステム１０内のコンテンツの管理機能を実現する。例えば、コンテンツ管理ユニット１４は、ユーザが視聴するコンテンツの選択などの管理を行う。すなわち、再生対象のコンテンツとして、ディスクプレーヤ１１の出力を選択したり、テレビチューナ１２の出力を選択したり、圧縮オーディオプレーヤ１３の出力を選択したりする。また、ディスクプレーヤ１１の再生状態（早送り、巻き戻しなど）を変更したり、テレビチューナ１２の再生状態（受信する放送のチャネルなど）を変更したり、圧縮オーディオプレーヤの再生状態（早送り、巻き戻しなど）を変更したりする。
【００３３】
図１に示す例では、前席の右側に着座した乗員６１と、前席の左側に着座した乗員６２と、後席の左側に着座した乗員６３と、後席の右側に着座した乗員６４と、の計４人が車室内に乗り込むことが可能な状況を想定している。
【００３４】
また、乗員６１の座席のシートバック背面には、後方に向けた画面を有する後席ディスプレイ３０Ｒが装備してあり、同様に乗員６２の座席のシートバック背面には、後方に向けた画面を有する後席ディスプレイ３０Ｌが装備してある。後席ディスプレイ３０Ｌ及び３０Ｒのそれぞれは、例えば液晶ディスプレイのように、様々な映像コンテンツを表示可能な表示画面を有している。なお、左右の後席ディスプレイ３０Ｌ、３０Ｒは複数の後席表示部の一例である。
【００３５】
従って、後席左側の乗員６３は、その前方に配置されている後席ディスプレイ３０Ｌの画面を見ることができ、後席右側の乗員６４は、その前方に配置されている後席ディスプレイ３０Ｒの画面を見ることができる。
【００３６】
図１に示すように、後席側にはディスプレイ管理ユニット２０が配置されている。後席ディスプレイ３０Ｌはディスプレイ接続端子２０ａを介してディスプレイ管理ユニット２０と接続され、後席ディスプレイ３０Ｒはディスプレイ接続端子２０ｂを介してディスプレイ管理ユニット２０と接続されている。また、前席ナビシステム１０とディスプレイ管理ユニット２０との間は、専用線としての１つの通信線１５を介して接続されている。ディスプレイ管理ユニット２０と通信線１５とはコンテンツ入力端子２０ｃ（第１コンテンツ入力部の一例）を介して接続される。
【００３７】
また、ディスプレイ管理ユニット２０の外部入力端子２０ｄ（第２コンテンツ入力部の一例）には、外部入力装置４０が接続されている。代表的な外部入力装置４０としては、ビデオテープレコーダ（ＶＴＲ）、ＵＳＢ（Universal Serial Bus）、ＨＤＭＩ（High-Definition Multimedia Interface）等のインタフェースを有する機器（コンテンツを出力可能な機器）を想定している。
【００３８】
前席ナビシステム１０とディスプレイ管理ユニット２０を接続する通信線１５は、１系統だけであり、通信線１５を経由して一度に伝送可能なコンテンツは１種類だけである。すなわち、ディスクプレーヤ１１、テレビチューナ１２、圧縮オーディオプレーヤ１３がそれぞれ出力するコンテンツのいずれか１つをコンテンツ管理ユニット１４が選択し、通信線１５を介してディスプレイ管理ユニット２０に送ることができる。しかし、複数種類のコンテンツを同時に前席ナビシステム１０からディスプレイ管理ユニット２０に送ることはできない。
【００３９】
ディスプレイ管理ユニット２０は、左側の後席ディスプレイ３０Ｌに与えるコンテンツと、右側の後席ディスプレイ３０Ｒに与えるコンテンツとをそれぞれ管理する。例えば、前席ナビシステム１０から出力される１つのコンテンツを通信線１５からディスプレイ管理ユニット２０が受け取り、これを２つの後席ディスプレイ３０Ｌ、３０Ｒに共通のコンテンツとして同時に与える。また、ディスプレイ管理ユニット２０は、外部入力装置４０が出力する１つのコンテンツを２つの後席ディスプレイ３０Ｌ、３０Ｒに共通のコンテンツとして同時に与えてもよい。また、前席ナビシステム１０から受け取ったコンテンツを２つの後席ディスプレイ３０Ｌ、３０Ｒの一方に与え、外部入力装置４０からのコンテンツを２つの後席ディスプレイ３０Ｌ、３０Ｒの他方に与えてもよい。
【００４０】
後席ディスプレイ３０Ｌに表示するコンテンツに関する操作（コンテンツ操作）は、リモコンユニット５０Ｌにより行われる。同様に、後席ディスプレイ３０Ｒに表示するコンテンツに関する操作（コンテンツ操作）は、リモコンユニット５０Ｒにより行われる。なお、図１に示す例では、左右の後席ディスプレイ３０Ｌ、３０Ｒでそれぞれ独立したリモコンユニット５０Ｌ、５０Ｒを使用する場合を想定しているが、スイッチの切替により１つのリモコンユニットで左右どちら側も操作するようにすれば、複数のリモコンユニットを用意する必要はない。
【００４１】
リモコンユニット５０Ｌ、５０Ｒは、赤外線、電波等を用いた無線通信機能により、後席ディスプレイ３０Ｌ、３０Ｒ、又はディスプレイ管理ユニット２０との間でコンテンツ操作のための通信を行う。例えば、コンテンツ操作に伴い、ディスプレイ管理ユニット２０へコンテンツ操作に対応する制御信号を送信する。勿論、無線通信のリモコンに限らず、有線接続されたリモコンユニットを利用しても良い。また、リモコンユニットの代わりに、各後席ディスプレイ３０Ｌ、３０Ｒに操作部を設けても良い。
【００４２】
次に、本実施形態のシステムにおける主要な構成及び動作について説明する。
【００４３】
図１に示したディスプレイ管理ユニット２０は、コンテンツを表示する後席ディスプレイ３０Ｌ、３０Ｒを管理する「表示管理装置」の一例である。ディスプレイ管理ユニット２０は、リモコンユニット５０Ｌ又は５０Ｒに対する入力操作が他の後席ディスプレイによるコンテンツの表示に及ぼす影響度の違いを操作前にユーザに知らせるための機能を有している。また、リモコンユニット５０Ｌ、５０Ｒは、コンテンツ操作を行うための「操作装置」の一例である。
【００４４】
具体的には、ディスプレイ管理ユニット２０は、その時（リモコン操作時）の状態におけるリモコンユニット５０Ｌ、５０Ｒの各操作釦（リモコンキー）によるコンテンツ操作が、他の後席ディスプレイを視聴するユーザに及ぼす影響度を把握する。そして、ディスプレイ管理ユニット２０の出力する信号により、リモコンユニット５０Ｌ、５０Ｒの各操作キーの着色状態を切り替える。
【００４５】
図２は、本実施形態のディスプレイ管理ユニット２０およびリモコンユニット５０Ｌ、５０Ｒの主要な構成例を示すブロック図である。ここでは、リモコンユニット５０Ｌ、５０Ｒの各操作釦の着色するための構成に関連しない部分については、図示及び説明を省略する。
【００４６】
図２に示すディスプレイ管理ユニット２０は、操作分類部２１、送信部２２、およびメモリ２３を備える。
【００４７】
操作分類部２１は、マイクロコンピュータを主体とする制御回路を備えており、予め用意されているプログラムを実行することにより、コンテンツ操作を分類する機能を実現する。例えば、操作分類部２１は、コンテンツ操作に伴う後席ディスプレイ３０Ｌ、３０Ｒによるコンテンツの表示への影響度に基づいて、コンテンツ操作を分類する。
【００４８】
通信部２２は、無線通信等によりリモコンユニット５０Ｌ、５０Ｒとの間で通信を行う。例えば、操作分類部２１による分類結果に基づいて、リモコンユニット５０Ｌ、５０Ｒへ、各コンテンツ操作が割り当てられたリモコンユニット５０Ｌ、５０Ｒの各操作釦を着色するための着色情報を送信する。
【００４９】
メモリ２３は、ＲＯＭやＲＡＭにより構成され、各種情報を記憶している。例えば、図３に示す各テーブルＴＢ１、ＴＢ２、ＴＢ３の情報を記憶している。これらのテーブルＴＢ１〜ＴＢ３の情報は、あらかじめメモリ２３に記憶されている。
【００５０】
図２に示すリモコンユニット５０Ｌ、５０Ｒは、通信部５１、制御部５２、操作部５３を備える。
【００５１】
通信部５１は、無線通信等により、ディスプレイ管理ユニット２０との間で通信を行う。例えば、ディスプレイ管理ユニット２０から操作部５３の各操作釦を着色するための着色情報を受信する。
【００５２】
制御部５２は、マイクロコンピュータを主体とする制御回路を備えており、予め用意されているプログラムを実行することにより、操作部５３の各操作釦を着色する機能を実現する。
【００５３】
操作部５３は、コンテンツ操作を行うための操作釦を有する。操作釦には、ＤＩＳＫ釦Ｋ１、テレビ釦Ｋ２、ＶＴＲ釦Ｋ３、Ｃｈ△釦Ｋ４が含まれている。これらの釦には、次に示すような機能が割り当てられている（図３のテーブルＴＢ２参照）。
【００５４】
ＤＩＳＫ釦（Ｋ１）：前席ナビシステム１０に繋がっているディスクプレーヤ１１のコンテンツを起動する。
テレビ釦（Ｋ２）：前席ナビシステム１０に繋がっているテレビチューナ１２のコンテンツを起動する。
ＶＴＲ釦（Ｋ３）：ディスプレイ管理ユニット２０の外部入力端子２０ｄに繋がっている外部入力装置（ＶＴＲ等）４０のコンテンツを起動する。
Ｃｈ△釦（Ｋ４）：前席ナビシステム１０に繋がっているコンテンツに関するチャネル切り替えや再生状態を操作する。
【００５５】
本実施形態においては、他の後席ディスプレイを用いたユーザのコンテンツ視聴に及ぼす影響度の違いを表示するために、青色（ＣＬ１）、赤色（ＣＬ２）、黄色（ＣＬ３）および灰色（ＣＬ４）の４色を利用している。この４色のいずれかにより、操作釦が着色される。各色は、次のように割り当てられている（図３のＴＢ３参照）。
【００５６】
青色（ＣＬ１）：操作対象ではない後席ディスプレイの再生状態を邪魔せずに操作できる（他の後席ディスプレイへの影響がない）ことを表す。
赤色（ＣＬ２）：操作対象ではない後席ディスプレイの再生するコンテンツ自体が変化してしまう（他の後席ディスプレイへの影響がある）ことを表す。
黄色（ＣＬ３）：操作対象ではない後席ディスプレイの再生するコンテンツの状態に変化が生じる（他の後席ディスプレイへの影響がある）ことを表す。
灰色（ＣＬ４）：該当する釦の操作が無効であることを表す。
【００５７】
このように、青色（第１の色の一例）に着色された操作釦によるコンテンツ操作では、他方の後席ディスプレイに表示されるコンテンツおよびコンテンツの再生状態が不変である。また、赤色（第２の色の一例）に着色された操作釦によるコンテンツ操作では、他方の後席ディスプレイに表示されるコンテンツが変化する。また、黄色（第３の色の一例）に着色された操作釦によるコンテンツ操作では、他方の後席ディスプレイに表示されるコンテンツが不変でありコンテンツの再生状態が変化する。また、灰色（第４の色の一例）に着色された操作釦によるコンテンツ操作は無効である。
【００５８】
操作部５３の各操作釦は、例えば、カラーの表示画面上に配置されたタッチパネルの各操作釦である。したがって、制御部５２は、着色情報に応じて、リモコンユニット５０Ｌ及び５０Ｒの各釦Ｋ１、Ｋ２、Ｋ３、Ｋ４の着色状態を制御する。
【００５９】
次に、本実施形態におけるシステムがリモコンユニット５０Ｌ、５０Ｒの各操作釦の色を制御するときの動作について説明する。
図４は、本実施形態のシステムがリモコンユニット５０Ｌ、５０Ｒの各操作釦の色を制御するときの動作例を示すフローチャートである。
【００６０】
例えば、リモコンユニット５０Ｌの操作部５３に対する入力操作によって後席ディスプレイのいずれかの表示モードが切り替わった時に、図４のステップＳ１１からステップＳ１２以降の処理に進む。
【００６１】
ここで、「表示モード」とは、各後席ディスプレイ３０Ｌ、３０Ｒに表示するコンテンツの選択状態を表す。例えば、ディスクプレーヤ１１のコンテンツが選択された状態、ＴＶチューナ１２のコンテンツが選択された状態、圧縮オーディオプレーヤ１３のコンテンツが選択された状態、外部入力装置４０のコンテンツが選択された状態、などである。
【００６２】
したがって、後席ディスプレイ３０Ｌ、３０Ｒのいずれかにより表示されるコンテンツが変更された場合、つまり表示モードが変更された場合には、各操作釦によるコンテンツ操作による影響が変化することがあるが、表示モードが変更されたときに、この変化を加味して操作部５３を着色させることができる。
【００６３】
なお、他の条件でステップＳ１２以降の処理に進むように変更しても良い。例えば、電源が投入されて初期状態になった時や、一定の時間が経過した時などの条件が考えられる。
【００６４】
ステップＳ１２では、ディスプレイ管理ユニット２０の操作分類部２１は、現在の表示モードにおいて、後席ディスプレイ３０Ｌにより表示するコンテンツと後席ディスプレイ３０Ｒにより表示するコンテンツの両方が、前席ナビシステム１０の出力するコンテンツ（ＤＩＳＣのコンテンツ、ＴＶのコンテンツ、または圧縮オーディオのコンテンツ）であるか否かを識別する。
【００６５】
例えば、図５に示す状態（初期状態）Ｃ１では、後席ディスプレイ３０Ｌに表示するコンテンツと後席ディスプレイ３０Ｒに表示するコンテンツの両方が、前席ナビシステム１０に接続されたディスクプレーヤ１１のコンテンツである。従って、この場合にはステップＳ１２からＳ１３に進む。この条件を満たさない場合にはステップＳ１４に進む。
【００６６】
ステップＳ１３では、ディスプレイ管理ユニット２０の操作分類部２１は、メモリ２３に記憶されたテーブルＴＢ２、ＴＢ３の情報を参照して、各リモコンユニット５０Ｌ、５０Ｒの各操作釦の着色状態を次のように割り当てる。この割り当てにより、コンテンツ操作の分類結果を示している。なお、以下の説明では、左矢印（←）の左側に示した各操作釦ＫＬＧ１〜ＫＬＧ３、ＫＲＧ１〜ＫＲＧ３に対して、左矢印（←）の右側の色を割り当てることを示している。
【００６７】
ＫＬＧ１←赤色（図３のＣＬ２）
ＫＬＧ２←黄色（図３のＣＬ３）
ＫＬＧ３←青色（図３のＣＬ１）
ＫＬＧ４←灰色（図３のＣＬ４）
ＫＲＧ１←赤色（図３のＣＬ２）
ＫＲＧ２←黄色（図３のＣＬ３）
ＫＲＧ３←青色（図３のＣＬ１）
ＫＬＧ４←灰色（図３のＣＬ４）
【００６８】
ただし、上記各操作釦ＫＬＧ１〜ＫＬＧ３、ＫＲＧ１〜ＫＲＧ３は、以下の事項を示している。
【００６９】
ＫＬＧ１〜ＫＬＧ３：リモコンユニット５０Ｌの各操作釦
ＫＲＧ１〜ＫＲＧ３：リモコンユニット５０Ｒの各操作釦
ＫＬＧ１，ＫＲＧ１：前席ナビシステム１０のコンテンツを起動する操作釦（図５のＫ１，Ｋ２）
ＫＬＧ２，ＫＲＧ２：前席ナビシステム１０のコンテンツの状態を操作する操作釦（図５のＫ４）
ＫＬＧ３，ＫＲＧ３：外部入力装置４０のコンテンツを起動する操作釦（図５のＫ３）
ＫＬＧ４：外部入力装置４０のコンテンツの状態を操作する操作釦（左の後席ディスプレイ３０Ｌ用：図５では図示せず）
ＫＲＧ４：外部入力装置４０のコンテンツの状態を操作する操作釦（右の後席ディスプレイ３０Ｌ用：図５では図示せず）
【００７０】
ステップＳ１４では、ディスプレイ管理ユニット２０の操作分類部２１は、現在の表示モードにおいて、後席ディスプレイ３０Ｌに表示するコンテンツと後席ディスプレイ３０Ｒに表示するコンテンツの両方が、外部入力のコンテンツであるか否かを識別する。
【００７１】
例えば、図５に示す状態Ｃ２では、後席ディスプレイ３０Ｌに表示するコンテンツと後席ディスプレイ３０Ｒに表示するコンテンツの両方が、外部入力装置４０のコンテンツとしてのＶＴＲである。従って、この場合にはステップＳ１４からＳ１５に進む。この条件を満たさない場合にはステップＳ１６に進む。
【００７２】
ステップＳ１５では、ディスプレイ管理ユニット２０の操作分類部２１は、メモリ２３に記憶されたテーブルＴＢ２、ＴＢ３の情報を参照して、各リモコンユニット５０Ｌ、５０Ｒの各操作釦の着色状態を次のように割り当てる。この割り当てにより、コンテンツ操作の分類結果を示している。
【００７３】
ＫＬＧ１←青色（図３のＣＬ１）
ＫＬＧ２←灰色（図３のＣＬ４）
ＫＬＧ３←灰色（図３のＣＬ４）
ＫＬＧ４←黄色（図３のＣＬ３）
ＫＲＧ１←青色（図３のＣＬ１）
ＫＲＧ２←灰色（図３のＣＬ４）
ＫＲＧ３←灰色（図３のＣＬ４）
ＫＲＧ４←黄色（図３のＣＬ３）
【００７４】
ステップＳ１６では、ディスプレイ管理ユニット２０の操作分類部２１は、現在の表示モードにおいて、後席ディスプレイ３０Ｌに表示するコンテンツが前席ナビシステム１０のコンテンツであるか否かを識別する。ステップＳ１６の条件を満たす場合はＳ１７に、満たさない場合はＳ１８に進む。
【００７５】
例えば、図５に示す状態Ｃ３では、後席ディスプレイ３０Ｌに表示するコンテンツが前席ナビシステム１０側のディスクプレーヤ１１のコンテンツであり、右側は後席ディスプレイ３０Ｒに表示するコンテンツが外部入力装置４０のコンテンツとしてのＶＴＲである。従って、この場合にはステップＳ１８に進む。
【００７６】
ステップＳ１７では、ディスプレイ管理ユニット２０の操作分類部２１は、メモリ２３に記憶されたテーブルＴＢ２、ＴＢ３の情報を参照して、各リモコンユニット５０Ｌ、５０Ｒの各操作釦の着色状態を次のように割り当てる。この割り当てにより、コンテンツ操作の分類結果を示している。
【００７７】
ＫＬＧ１←赤色（図３のＣＬ２）
ＫＬＧ２←灰色（図３のＣＬ４）
ＫＬＧ３←青色（図３のＣＬ１）
ＫＬＧ４←青色（図３のＣＬ１）
ＫＲＧ１←青色（図３のＣＬ１）
ＫＲＧ２←青色（図３のＣＬ１）
ＫＲＧ３←青色（図３のＣＬ１）
ＫＲＧ４←灰色（図３のＣＬ４）
【００７８】
ステップＳ１８では、ディスプレイ管理ユニット２０の操作分類部２１は、メモリ２３に記憶されたテーブルＴＢ２、ＴＢ３の情報を参照して、各リモコンユニット５０Ｌ、５０Ｒの各操作釦の着色状態を次のように割り当てる。この割り当てにより、コンテンツ操作の分類結果を示している。
【００７９】
ＫＬＧ１←青色（図３のＣＬ１）
ＫＬＧ２←青色（図３のＣＬ１）
ＫＬＧ３←青色（図３のＣＬ１）
ＫＬＧ４←灰色（図３のＣＬ４）
ＫＲＧ１←赤色（図３のＣＬ２）
ＫＲＧ２←灰色（図３のＣＬ４）
ＫＲＧ３←青色（図３のＣＬ１）
ＫＲＧ４←青色（図３のＣＬ１）
【００８０】
ステップＳ１９では、ディスプレイ管理ユニット２０の通信部５１は、ステップＳ１３，Ｓ１５，Ｓ１７，Ｓ１８のいずれかで割り当てられた各操作釦の着色状態を表す着色情報としてのリモコン属性情報を、各リモコンユニット５０Ｌ、５０Ｒに送信する。
【００８１】
続いて、ステップＳ２０では、各リモコンユニット５０Ｌ、５０Ｒの通信部５１は、ディスプレイ管理ユニット２０により送信されたリモコン属性情報を受信すると、当該リモコンが左側の後席ディスプレイ３０Ｌ用のリモコンユニット５０Ｌなのか、右側の後席ディスプレイ３０Ｒ用のリモコンユニット５０Ｒなのかを識別する。リモコンユニットが１つであり、ユーザのスイッチ操作で左右の後席ディスプレイに対する操作が切り替わる場合には、そのスイッチの状態等を参照して左右の識別を行う。左側用の場合はステップＳ２１に進み、右側用の場合はステップＳ２２に進む。
【００８２】
ステップＳ２１では、リモコンユニット５０Ｌの制御部５２は、通信部５１により受信したリモコン属性情報の内容を参照し、リモコンユニット５０Ｌの各操作釦に割り当てられたリモコン属性の内容に従って、操作部５３の各操作釦の着色状態を変更する。
【００８３】
同様に、ステップＳ２２では、リモコンユニット５０Ｒの制御部５２は、通信部５１によりから受信したリモコン属性情報の内容を参照し、リモコンユニット５０Ｒの各操作釦に割り当てられたリモコン属性の内容に従って、操作部５３の各操作釦の着色状態を切り替える。
【００８４】
従って、図５に示すように、状態Ｃ１、Ｃ２、Ｃ３のそれぞれに状態に応じて、各操作釦の着色状態が変化する。例えば、最初の状態Ｃ１においては、左右の後席ディスプレイ３０Ｌ、３０Ｒの両方の表示モードが前席ナビシステム１０側のコンテンツなので、次のように各操作釦の着色状態が決定される。
【００８５】
リモコンユニット５０Ｌの場合
ＤＩＳＫ釦（Ｋ１）：青色
テレビ釦（Ｋ２）  ：赤色
ＶＴＲ釦（Ｋ３）  ：青色
Ｃｈ△釦（Ｋ４）  ：黄色
リモコンユニット５０Ｒの場合
ＤＩＳＫ釦（Ｋ１）：青色
テレビ釦（Ｋ２）  ：赤色
ＶＴＲ釦（Ｋ３）  ：青色
Ｃｈ△釦（Ｋ４）  ：黄色
【００８６】
この場合、リモコンユニット５０Ｌ又は５０Ｒを操作するユーザ（乗員６３又は６４）は、各釦Ｋ１、Ｋ３については青色の着色なので、他のユーザが他方の後席ディスプレイにより視聴するコンテンツに影響を与えることなく操作できることを、操作の前に認識できる。しかし、釦Ｋ２については赤色の着色なので、他のユーザが他方の後席ディスプレイにより視聴するコンテンツも切り替わってしまうことを、操作の前に認識することになる。また、釦Ｋ４については、黄色の着色なので、他のユーザが他方の後席ディスプレイにより視聴するコンテンツの状態（視聴チャネルなど）に影響が現れることを、操作の前に認識することになる。
【００８７】
また、図５の状態Ｃ２の場合には、左右の後席ディスプレイ３０Ｌ、３０Ｒの両方の表示モードが外部入力装置４０のコンテンツなので、次のように各操作釦の着色状態が決定される。
【００８８】
リモコンユニット５０Ｌの場合
ＤＩＳＫ釦（Ｋ１）：青色
テレビ釦（Ｋ２）  ：青色
ＶＴＲ釦（Ｋ３）  ：青色
Ｃｈ△釦（Ｋ４）  ：灰色
リモコンユニット５０Ｒの場合
ＤＩＳＫ釦（Ｋ１）：青色
テレビ釦（Ｋ２）  ：青色
ＶＴＲ釦（Ｋ３）  ：青色
Ｃｈ△釦（Ｋ４）  ：灰色
【００８９】
この場合、リモコンユニット５０Ｌ又は５０Ｒを操作するユーザ（乗員６３又は６４）は、各釦Ｋ１、Ｋ２、Ｋ３については青色の着色なので、他のユーザが他方の後席ディスプレイにより視聴するコンテンツに影響を与えることなく操作できることを、操作の前に認識できる。また、釦Ｋ４については灰色の着色なので、この釦の操作は無効である（操作しても何も変化しない）ことを、操作の前に認識することができる。
【００９０】
また、図５の状態Ｃ３の場合には、左側の後席ディスプレイ３０Ｌの表示モードが外部入力装置４０のコンテンツであり、右側の後席ディスプレイ３０Ｒの表示モードが前席ナビシステム１０側のコンテンツであるので、次のように各操作釦の着色状態が決定される。
【００９１】
リモコンユニット５０Ｌの場合
ＤＩＳＫ釦（Ｋ１）：青色
テレビ釦（Ｋ２）  ：青色
ＶＴＲ釦（Ｋ３）  ：青色
Ｃｈ△釦（Ｋ４）  ：青色
リモコンユニット５０Ｒの場合
ＤＩＳＫ釦（Ｋ１）：青色
テレビ釦（Ｋ２）  ：赤色
ＶＴＲ釦（Ｋ３）  ：青色
Ｃｈ△釦（Ｋ４）  ：灰色
【００９２】
この場合、リモコンユニット５０Ｌを操作する乗員６３の場合には、各釦Ｋ１、Ｋ２、Ｋ３、Ｋ４の全てが青色の着色状態なので、どれを操作しても他のユーザが他方の後席ディスプレイにより視聴するコンテンツに影響を与えないことを、操作の前に認識できる。また、リモコンユニット５０Ｒを操作する乗員６４の場合には、各釦Ｋ１、Ｋ３については青色の着色状態なので、他のユーザが他方の後席ディスプレイにより視聴するコンテンツに影響を与えないことを、操作の前に認識できる。しかし、釦Ｋ２については赤色の着色なので、他のユーザが他方の後席ディスプレイにより視聴するコンテンツも切り替わってしまうことを、操作の前に認識することになる。また、乗員６４は、釦Ｋ４は灰色の着色なので、この釦の操作は無効である（操作しても何も変化しない）ことを、操作の前に認識することができる。
【００９３】
次に、表示モードの切り替えに伴う各操作釦の着色例について説明する。
本実施形態のシステムを使用する場合には、例えば図６〜図９のそれぞれに示すような状態が発生しうる。
【００９４】
図６においては、テレビチューナ１２が出力するコンテンツであるＴＶ映像を前席ナビシステム１０が選択し、ディスプレイ管理ユニット２０がこのＴＶ映像を通信線１５を介して入力し、共通のコンテンツとして後席ディスプレイ３０Ｌ、３０Ｒの双方に与える状態を表している。この状態を初期状態とする。
【００９５】
図６に示す初期状態において、図１に示す乗員６３がリモコンユニット５０Ｌを操作することにより、図７に示す例では、ディスプレイ管理ユニット２０が、後席ディスプレイ３０Ｌに表示するコンテンツをＶＴＲ出力に切り替える。すなわち、リモコンユニット５０Ｌの操作により、ディスプレイ管理ユニット２０が外部入力装置４０であるＶＴＲの出力するコンテンツを後席ディスプレイ３０Ｌに与える。この場合、後席ディスプレイ３０Ｒが表示するコンテンツはＴＶ映像のまま変化しない。
【００９６】
つまり、図７に示すＴＶ映像からＶＴＲ映像への切り替え操作を行う場合には、乗員６３のリモコンユニット５０Ｌによる操作は、後席ディスプレイ３０Ｌだけに影響を及ぼし、後席ディスプレイ３０ＲでＴＶ映像を視聴している乗員６４に対しては影響を与えない。すなわち、図３の青色ＣＬ１に該当する。
【００９７】
したがって、図６の初期状態のときに、ディスプレイ管理ユニット２０の操作分類部２１は、リモコンユニット５０Ｌの操作部５３のＶＴＲ釦を青色のグループに分類し、通信部２２は、上記のＶＴＲ釦を青色に着色するための着色情報を送信する。これにより、図７に示したコンテンツ操作を行う前に、他の後席ディスプレイによるコンテンツの表示への影響を認識することができる。
【００９８】
また、図６に示す初期状態において、乗員６３がリモコンユニット５０Ｌを操作することにより、図８に示す例では、ディスプレイ管理ユニット２０が、後席ディスプレイ３０Ｌに表示するコンテンツをディスクプレーヤ１１の出力に切り替える。すなわち、リモコンユニット５０Ｌの操作により、ディスプレイ管理ユニット２０はコンテンツ管理ユニット１４へ切り替え指令を出力する。この指令に従って、コンテンツ管理ユニット１４は、ディスクプレーヤ１１の出力するコンテンツを通信線１５に出力する。
【００９９】
但し、通信線１５は１系統だけであり、複数のコンテンツを同時に通信線１５で伝送することはできない。そのため、図８に示すＴＶ映像からＤＩＳＣ映像への切り替えを行う場合には、それまで後席ディスプレイ３０Ｒが表示していたＴＶ映像のコンテンツを伝送できない状態になる。つまり、前席ナビシステム１０のコンテンツ管理ユニット１４が選択するコンテンツの切り替えを行うと、後席ディスプレイ３０Ｌが表示するコンテンツだけでなく、後席ディスプレイ３０Ｒが表示するコンテンツも切り替わってしまう。そのため、乗員６３のリモコンユニット５０Ｌによる操作が、乗員６４の視聴状態に影響を及ぼすことになる。すなわち、図３の赤色ＣＬ２に該当する。
【０１００】
したがって、図６の初期状態のときに、ディスプレイ管理ユニット２０の操作分類部２１は、リモコンユニット５０Ｌの操作部５３のＤＩＳＣ釦を赤色のグループに分類し、通信部２２は、上記のＶＴＲ釦を赤色に着色するための着色情報を送信する。これにより、図８に示したコンテンツ操作を行う前に、他の後席ディスプレイによるコンテンツの表示への影響を認識することができる。
【０１０１】
また、図６に示す初期状態において、乗員６３がリモコンユニット５０Ｌを操作することにより、図９に示す例では、ディスプレイ管理ユニット２０が、後席ディスプレイ３０Ｌに表示するコンテンツを提供するテレビチューナ１２の受信チャネルを切り替える。すなわち、リモコンユニット５０Ｌの操作により、ディスプレイ管理ユニット２０がコンテンツ管理ユニット１４にチャネル切り替え指令を出力する、この指令に従って、コンテンツ管理ユニット１４は、テレビチューナ１２にチャネル切り替えを指示する。
【０１０２】
図９に示す状態のようにチャネル切り替えを行う場合にも、それまで後席ディスプレイ３０Ｒが表示していたチャネルのＴＶ映像のコンテンツを伝送できない状態になる。つまり、前席ナビシステム１０のテレビチューナ１２が受信チャネルの切り替えを行うと、後席ディスプレイ３０Ｌが表示するコンテンツだけでなく、後席ディスプレイ３０Ｒが表示するコンテンツの番組も切り替わってしまう。そのため、乗員６３のリモコンユニット５０Ｌによる操作が、乗員６４の視聴状態に影響を及ぼすことになる。すなわち、図３の黄色ＣＬ３に該当する。
【０１０３】
したがって、図６の初期状態のときに、ディスプレイ管理ユニット２０の操作分類部２１は、リモコンユニット５０Ｌの操作部５３のＣｈ△釦（ＣｈＵＰ釦）を黄色のグループに分類し、通信部２２は、上記のＣｈ△釦を黄色に着色するための着色情報を送信する。これにより、図９に示したコンテンツ操作を行う前に、他の後席ディスプレイによるコンテンツの表示への影響を認識することができる。
【０１０４】
このように、映像等のコンテンツを視聴するためのシステムを車両に搭載する場合に、リモコン等の操作装置に対する一人の乗員の入力操作が、他の乗員が視聴する他の後席ディスプレイによるコンテンツの視聴に及ぼす影響度の違いを各操作釦の着色状態により表示することができる。したがって、視聴するコンテンツ操作を行おうとする乗員は、操作を行う前に、その操作によって他の乗員が受ける影響度を認識することができる。
【０１０５】
なお、上述の実施形態においては、タッチパネルを用いた操作部５３を有するリモコンユニット５０Ｌ、５０Ｒを用いる場合を想定しているが、一般的なリモコンユニットのように、スイッチをオンオフする機械的な複数の釦により操作部を構成してもよい。その場合には、独立した釦毎に、それを照明するための発光ダイオードなどの光源を設け、この光源の発光色を制御して各釦の着色状態を切り替える。
【０１０６】
また、上述の実施形態においては、後席の乗員の箇所に左右２つの後席ディスプレイ３０Ｌ、３０Ｒを配置する場合を想定しているが、ディスプレイ管理ユニット２０により３つ以上の後席ディスプレイを管理するように制御しても良い。例えば、前後３列の座席が備わっている車両の場合には、後席である２列目及び３列目の乗員が視聴可能な後席ディスプレイを配置することが可能である。また、車室内の天井に後席ディスプレイ用のディスプレイを配置してもよい。
【産業上の利用可能性】
【０１０７】
本発明は、複数の後席表示部を備える場合に、一の後席表示部に対するユーザの入力操作について、他の後席表示部への影響を簡単に確認することができる表示管理装置等として有用である。
【符号の説明】
【０１０８】
１０  前席ナビシステム
１１  ディスクプレーヤ
１２  テレビチューナ
１３  圧縮オーディオプレーヤ
１４  コンテンツ管理ユニット
１５  通信線
２０  ディスプレイ管理ユニット
２０ａ、２０ｂ  ディスプレイ接続端子
２０ｃ  コンテンツ入力端子
２０ｄ  外部入力端子
２１  操作分類部
２２  通信部
２３  メモリ
３０Ｌ，３０Ｒ  後席ディスプレイ
４０  外部入力装置
５０Ｌ，５０Ｒ  リモコンユニット
５１  通信部
５２  制御部
５３  操作部
６１〜６４  乗員
【図１】
2012191514.tif 000003
【図２】
2012191514.tif 000004
【図３】
2012191514.tif 000005
【図４】
2012191514.tif 000006
【図５】
2012191514.tif 000007
【図６】
2012191514.tif 000008
【図７】
2012191514.tif 000009
【図８】
2012191514.tif 000010
【図９】
2012191514.tif 000011